(57)【要約】【課題】画像読み取り部に対しシート原稿、ブック原稿を搬送するためのシート原稿搬送ユニット及びブック原稿搬送ユニットの交換作業の容易化及び省スペース化を図ることが可能な画像読み取り装置を提供する。【解決手段】デジタル複合機の本体部１は、画像データを読み取る画像読み取り部１２と、画像読み取り部１２の原稿搬送方向の上流及び下流位置に設けられた第１及び第２駆動ローラ１０，１１とを備え、本体部１上方に支持レバー２１を介して回動可能に取り付けられた原稿搬送装置２は、シート原稿搬送用の前方、後方、中間搬送ローラ６１〜６３と、ブック原稿搬送用の前方、後方、中間搬送ローラ４１〜４３とを備え、ユニット支持枠体２０を回転させることで本体部１の主面に対してブック原稿搬送用の前方、後方、中間搬送ローラ６１〜６３またはシート原稿搬送用の前方、後方、中間搬送ローラ４１〜４３を対向するように切り替え可能に構成されている。【選択図】  図１
2005053599.tif 000002
【特許請求の範囲】
【請求項１】
原稿搬送用の駆動ローラが表出された主面を有する本体部と、
前記駆動ローラに当接される搬送ローラを有する蓋部とを備えた画像読み取り装置であって、
前記蓋部は、薄手原稿搬送用の第１の搬送ローラが表出された第１面と、厚手原稿搬送用の第２の搬送ローラが表出された第２面とを備え、前記本体部の主面に対して前記蓋部の第１面又は第２面のいずれかが対向できるよう切り替え可能とされていることを特徴とする画像読み取り装置。
【請求項２】
前記第１面及び第２面が前記蓋部の上面及び下面にそれぞれ配置されていると共に、該蓋部は支持レバーを介して前記本体部に回動可能に支持され、前記蓋部の第１面及び第２面の切り替えが前記支持レバーを用いた回動方式にて行なわれることを特徴とする請求項１記載の画像読み取り装置。
【請求項３】
前記第１及び第２の搬送ローラは、前記蓋部に対して上下動可能に保持されていることを特徴とする請求項２記載の画像読み取り装置。
【請求項４】
前記第２の搬送ローラの径が、前記第１の搬送ローラの径よりも大きいことを特徴とする請求項１〜３のいずれかに記載の画像読み取り装置。
【請求項５】
前記薄手原稿がシート原稿であり、前記厚手原稿がブック原稿であることを特徴とする請求項１〜４のいずれかに記載の画像読み取り装置。
【発明の詳細な説明】
【０００１】
【発明の属する技術分野】
本発明は、複写機、ファクシミリ、スキャナ等の画像読み取り装置であって、特に画像データを読み取る画像読み取り手段に原稿を搬送する原稿搬送手段を有する画像読み取り装置に関する。
【０００２】
【従来の技術】
従来より、撮像光学系及びＣＣＤ等の撮像素子が固定され、固定された撮像光学系の焦点位置に対して原稿を搬送ローラで搬送し、撮像素子により画像データを読み取る画像読み取り装置が知られている。また、Ａ０やＡ１サイズの大型原稿の画像データを読み取り、画像形成処理を行なう広幅型のデジタル複合機等では、ＣＣＤに代えて、多数のフォトトランジスタを直線状に配列したＣＩＳ（Ｃｏｎｔａｃｔ  Ｉｍａｇｅ  Ｓｅｎｓｏｒ）を、原稿送り方向と直交する方向に配置し、前記ＣＩＳのコンタクト面に対して原稿を搬送ローラで搬送し、該ＣＩＳにて画像を読み取る画像読み取り装置が採用されている（例えば、特許文献１参照）。
【０００３】
また、原稿搬送機構として装置本体に脱着可能なブック原稿専用の搬送ユニット及びシート原稿専用の搬送ユニットがあり、原稿の種類がブック原稿かシート原稿であるかによりこれらの搬送ユニットをユーザが交換して使用する画像読み取り装置も知られている。
【０００４】
図５は従来の原稿搬送機構の構成図であり、（ａ）は従来のシート原稿搬送ユニットの構成を示す側断面図であり、（ｂ）は従来のブック原稿搬送ユニットの構成を示す側断面図である。
【０００５】
図５（ａ）において、画像読み取り装置の本体部１の上方部には、シート原稿Ｓを図中矢印の方向に所定速度で搬送するシート原稿搬送ユニットＵ１が取り付けられている。シート原稿搬送ユニットＵ１は、前方、後方、中間搬送ローラ１０１〜１０３を備え、前方，後方搬送ローラ１０１，１０２は本体部１に設けられた第１，第２駆動ローラ１０，１１の対向位置に設けられており、中間搬送ローラ１０３は本体部１に設けられたコンタクトガラス、露光ランプ、ＣＣＤ等からなる画像読み取り部１２の対向位置に設けられている。シート原稿Ｓがシート原稿搬送ユニットＵ１の挿入口から挿入されるとシート原稿Ｓは前方搬送ローラ１０１及び第１駆動ローラ１０によりコンタクトガラス上面に搬送され、画像読み取り部１２による画像データの読み取り終了後に後方搬送ローラ１０２及び第２駆動ローラ１１により装置外に排出される。一方、図５（ｂ）において、ブック原稿搬送ユニットＵ２も同様に３つの搬送ローラ１１１〜１１３を有するが、シート原稿搬送ユニットＵ１と異なり、厚手のブック原稿Ｂを搬送するために搬送力を上げると共に、ブック原稿Ｂの厚さに応じて挿入部開口を広くし、搬送経路を確保するために径の大きくて柔軟な発泡樹脂材等からなる搬送ローラ１１１，１１２を用いている。
【０００６】
【特許文献１】
特開平１０−２２９４７２号公報
【０００７】
【発明が解決しようとする課題】
従来の画像読み取り装置では、シート原稿搬送ユニット及びブック原稿搬送ユニットは本体に対し取り外し可能であり、ユーザは原稿の種類に応じた搬送ユニットを本体にセットし、原稿の種類が変わるとその度に搬送ユニットも交換しなければならず、大変手間がかかるという問題点があった。特にＡ０サイズの原稿用紙の画像形成処理を行なう広幅型のデジタル複合機では、搬送ユニットが大型化し、その取り付け及び交換が困難であるため、交換型の搬送ユニット方式をかかる広幅型のデジタル複合機等に適用すると、ユーザサイドでの負担が大きくなってしまうという不都合があった。しかも、使用されていない搬送ユニットは装置の近くに保管するための広いスペースが必要となり、邪魔になるという問題点があった。
【０００８】
本発明は、上記問題点を解決するためになされたものであり、シート原稿搬送ユニット及ブック原稿搬送ユニットの交換作業の容易化及び省スペース化を図ることが可能な画像読み取り装置を提供することが目的である。
【０００９】
【課題を解決するための手段】
請求項１に係る画像読み取り装置は、原稿搬送用の駆動ローラが表出された主面を有する本体部と、前記駆動ローラに当接される搬送ローラを有する蓋部とを備えた画像読み取り装置であって、前記蓋部は、薄手原稿搬送用の第１の搬送ローラが表出された第１面と、厚手原稿搬送用の第２の搬送ローラが表出された第２面とを備え、前記本体部の主面に対して前記蓋部の第１面又は第２面のいずれかが対向できるよう切り替え可能とされていることを特徴とする。
【００１０】
この構成によれば、前記蓋部の第１面及び第２面それぞれを前記本体部の主面に対向するように切り替え可能であるため、原稿の厚さに応じて駆動ローラに当接される第１、第２の搬送ローラを容易に切り替えることができ、作業の効率化を図ることができる。さらに第１、第２の搬送ローラの一体化により、使用されていない搬送ローラを保管するためのスペースが不要となり、省スペース化を図ることができる。
【００１１】
請求項２に係る画像読み取り装置は、請求項１記載の画像読み取り装置において、前記第１面及び第２面が前記蓋部の上面及び下面にそれぞれ配置されていると共に、該蓋部は支持レバーを介して前記本体部に回動可能に支持され、前記蓋部の第１面及び第２面の切り替えが前記支持レバーを用いた回動方式にて行なわれることを特徴とする。
【００１２】
この構成によれば、支持レバーの蓋部に対する接続部分を中心に蓋部を回転（反転）させることにより、蓋部の第１面及び第２面それぞれを前記本体部の主面に対向するように切り替え可能であるため、原稿の厚さに応じて駆動ローラに当接される第１、第２の搬送ローラを容易に切り替えることができ、作業の効率化を図ることができる。
【００１３】
請求項３に係る画像読み取り装置は、請求項２記載の画像読み取り装置において、前記第１及び第２の搬送ローラは、前記蓋部に対して上下動可能に保持されていることを特徴とする。
【００１４】
この構成によれば、前記第１、第２の搬送ローラは、前記蓋部に上下動可能に保持されているため、例えば、第１、第２の搬送ローラの不使用時に下方向へ自重により移動させることが可能となり、上面側に位置している不使用の搬送ローラを蓋部内部に収納することができるようになる。これにより、装置が占めるスペースを小さくすることができると共に、不使用の搬送ローラが表出している蓋部上面を、カバー部材等で完全に覆うことが可能となり、安全性を向上させることができる。
【００１５】
請求項４に係る画像読み取り装置は、請求項１〜３のいずれかに記載の画像読み取り装置において、前記第２の搬送ローラの径が、前記第１の搬送ローラの径よりも大きいことを特徴とする。
【００１６】
この構成によれば、第１の搬送ローラより第２の搬送ローラの径を大きくすることでその搬送力を増加させることができ、第１の搬送ローラに対する駆動力と同一の駆動力を第２の搬送ローラに与えることでより大きな搬送力を得ることができる。
【００１７】
請求項５に係る画像読み取り装置は、請求項１〜４のいずれかに記載の画像読み取り装置において、前記薄手原稿がシート原稿であり、前記厚手原稿がブック原稿であることを特徴とする。
【００１８】
この構成によれば、原稿がシート原稿である場合は蓋部の第１面を前記本体部の主面の対向位置に配置し、原稿がブック原稿である場合は蓋部の第２面を前記本体部の主面の対向位置に配置することで、駆動ローラに当接される第１、第２搬送ローラを容易に切り替えることができ、作業の効率化を図ることができる。
【００１９】
【発明の実施の形態】
以下、本発明の一実施の形態による画像読み取り装置について図面を参照しながら説明する。図１は画像読み取り装置の一例であるデジタル複合機等の本体部上部に設けられた原稿搬送装置の外観斜視図であり、図２は原稿搬送装置の側断面図であり、図３は原稿搬送装置におけるシート原稿ユニットの上面図である。
【００２０】
デジタル複合機は、画像読み取り部１２を有する本体部１、画像読み取り部１２にシート原稿またはブック原稿を搬送する原稿搬送装置（蓋部）２を含む。
【００２１】
画像読み取り部１２は、本体部１上方に設けられ、コンタクトガラス１２１と、コンタクトガラス１２１上の原稿に光照射する光源である露光ランプ１２２と、原稿からの反射光を絞る結像レンズ１２３と、結像レンズ１２３によって反射光が絞られ結像された光像を光電変換して画像データを得るＣＣＤ（Ｃｈａｒｇｅ    Ｃｏｕｐｌｅｄ  Ｄｅｖｉｃｅ）を備えたＣＣＤユニット１２４とを備えている。第１，第２駆動ローラ１０，１１は本体部１上方（主面）にその一部が表出するよう設けられており、画像読み取り部１２を挟んで原稿搬送方向の上流側及び下流側にそれぞれ配設される。
【００２２】
原稿搬送装置２は、４枚の側板から構成されるユニット支持枠体２０と、ユニット支持枠体２０の上面側及び下面側に対向して設けられたシート原稿搬送ユニットＵ１及びブック原稿搬送ユニットＵ２とを備える。シート原稿搬送ユニットＵ１は、原稿搬送装置２の下面（第１面）側に配置され、シート原稿Ｓの搬送時には画像読み取り部１２の対向位置に対置される。また、ブック原稿搬送ユニットＵ２は、原稿搬送装置２の上面（第２面）側に配置され、ブック原稿Ｂの搬送時に画像読み取り部１２の対向位置に対置される。
【００２３】
原稿搬送装置２は支持レバー２１ａ，２１ｂを介して本体部１に機械的に結合されている。支持レバー２１ａ，２１ｂの一端は、それぞれユニット支持枠体２０の前面及び後面に対しピン２３ａ，２３ｂで回動自在に結合されており、ユニット支持枠体２０はピン２３ａ，２３ｂを支点として回転可能に構成されている。支持レバー２１ａ，２１ｂの他端は本体部１に設けられた固定部材２２ａ，２２ｂに対してピン２４ａ，２４ｂで回動自在に結合され、支持レバー２１ａ，２１ｂはピン２４ａ，２４ｂを支点として上下に揺動されるように構成されている。
【００２４】
ユニット支持枠体２０の上部を覆うカバー３１は、第１及び第２の板部材３１ａ，３１ｂからなり、第１の板部材３１ａは第２の板部材３１ｂを介してユニット支持枠体２０の側面に接続され、第１，第２板部材３１ａ，３１ｂはそれぞれ回動軸３２ａ，３２ｂを中心として回動可能に構成されている。ユニット支持枠体２０を反転させる際は同時にカバー３１を回動軸３１ｂを支点として回転させ、反転されたユニット支持枠体２０の上部を覆うように設置する。
【００２５】
シート原稿搬送ユニットＵ１は、第１の搬送ローラとしての前方搬送ローラ６１、後方搬送ローラ６２及び中間搬送ローラ６３を有し、これら前方、後方、中間搬送ローラ６１〜６３は、原稿搬送装置（蓋部）２の第１面（図１において下面側）にその一部が表出するよう組付けられている。シート原稿搬送時、即ちシート原稿搬送ユニットＵ１がユニット支持枠体２０の下方に位置する際に前方及び後方搬送ローラ６１，６２はそれぞれ第１及び第２駆動ローラ１０，１１に当接し、中間搬送ローラ６３は画像読み取り部１２に当接するように配設されている。中間搬送ローラ６３は、画像読み取り部１２による画像データを読み取る際のシェーディング補正を行なうための白基準となる白色ローラである。
【００２６】
前方及び後方搬送ローラ６１，６２は、第１及び第２駆動ローラ１０，１１の駆動により従動駆動される。第１及び第２駆動ローラ１０，１１は、本体部１内に設けられた図示省略のモータ等により駆動される。前方、後方、中間搬送ローラ６１〜６３の支軸６４〜６６は、ユニット支持板７０ａ，７０ｂに取り付けられている軸受け８０によりそれぞれ軸支され、これにより前方、後方、中間搬送ローラ６１〜６３は回動自在とされている。後方，中間搬送ローラ６２，６３の支軸６５，６６の端部にはプーリ９１，９２が取り付けられており、両プーリ９１，９２には駆動伝達ベルト６７が掛けられている。第２駆動ローラ１１の駆動により回転する後方搬送ローラ６２の駆動力は、駆動伝達ベルト６７により中間搬送ローラ６３の支軸６６に伝達され、中間搬送ローラ６３は後方搬送ローラ６２と同速度で回転する。
【００２７】
ブック原稿搬送ユニットＵ２は、同様に、第２の搬送ローラとしての前方搬送ローラ４１、後方搬送ローラ４２及び中間搬送ローラ４３を有し、これら前方、後方、中間搬送ローラ４１〜４３は、原稿搬送装置（蓋部）２の第２面（図１において上面側）にその一部が表出するよう組付けられている。前方及び後方搬送ローラ４１，４２は、ブック原稿を搬送するための搬送力を上げるべくシート原稿搬送ユニットＵ１の前方及び後方搬送ローラ６１，６２より径の大きいローラが用いられる。中間搬送ローラ４３は、画像読み取り部１２による画像データを読み取る際のシェーディング補正を行なうための白基準となる白色ローラである。前方、後方、中間搬送ローラ４１〜４３の支軸４４〜４６は、ユニット支持板５０ａ，５０ｂに取り付けられている軸受け８０によりそれぞれ軸支され、これにより前方、後方、中間搬送ローラ４１〜４３は回動自在とされている。後方、中間搬送ローラ４２，４３の支軸４５，４６の端部にはプーリ及び駆動伝達ベルトが設けられており、後方搬送ローラ４２の回転により後方搬送ローラ４２の駆動力が駆動伝達ベルト４７を介して中間搬送ローラ４３に伝わり、中間搬送ローラ４３が回転する。
【００２８】
また、ユニット支持板７０ａの外側面に突設された２つの摺動用ピン７１，７２は、ユニット支持枠体２０の側面に設けられたガイド穴（長孔）７３，７４に嵌め込まれると共に、その反対側のユニット支持板７０ｂに突設された摺動用ピン７１，７２も同様にユニット支持枠体２０側面のガイド穴７３，７４に嵌め込まれ、シート原稿搬送ユニットＵ１をガイド穴７３，７４に沿って摺動可能に保持している。ユニット支持板５０ａの外側面に突設された２つの摺動用ピン５１，５２は、ユニット支持枠体２０の側面に設けられたガイド穴５３，５４に嵌め込まれると共に、その反対側のユニット支持板５０ｂに突設された摺動用ピン５１，５２も同様にユニット支持枠体２０側面のガイド穴５３，５４に嵌め込まれ、ブック原稿搬送ユニットＵ２をガイド穴５３，５４に沿って摺動可能に保持している。これにより、ブック原稿搬送ユニットＵ２を画像読み取り部１２に対向するようにユニット支持枠体２０を回転させると、摺動ピン５１，５２がガイド穴５３，５４に沿って下方に誘導されブック原稿搬送ユニットＵ２全体が自重により下方部へ沈下し、その結果前方、後方、中間搬送ローラ４１〜４３がユニット枠体２０外に表出し第１，第２の駆動ローラ１０，１１及び画像読み取り装置１２のそれぞれに当接する。同時に、シート原稿搬送ユニットＵ１の自重により摺動ピン７１，７２がガイド穴７３，７４に沿って下方に移動し、前方、後方、中間搬送ローラ６１〜６３はその全体がユニット枠体２０内部に収納される。
【００２９】
原稿を挿入するための挿入口近傍には原稿検知センサ１３が設けられており、原稿検知センサ１３は原稿の先端が挿入されたことを検知し、図示しない制御部に原稿検知信号を出力する。制御部は、第１及び第２の駆動ローラ１０，１１及び画像読み取り部１２を含む装置各部の制御を行うものであり、原稿検知センサ１３から原稿検知信号を受信すると、第１及び第２の駆動ローラ１０，１１に対し駆動開始信号を送信すると共に画像読み取り部１２に読み取り開始信号を送信する。これにより、第１の駆動ローラ１０が駆動し、第１の駆動ローラ１０及び前方搬送ローラ６１により挟持されたシート原稿Ｓがコンタクトガラス１２１上の読み取り位置に搬送されると同時に画像読み取り部１２による画像データの読み取りが開始され、画像データの読み取り終了後、シート原稿Ｓは第２の駆動モータ１１及び後方搬送ローラ６２により装置外に排出される。
【００３０】
図４は、原稿をシート原稿Ｓからブック原稿Ｂに切り替える際のブック原稿搬送ユニットＵ２の装置本体部１への取り付け方法を説明するための図である。
【００３１】
原稿をシート原稿Ｓからブック原稿Ｂに切り替える際には、図４（ａ）に示すようにユーザがユニット支持枠体２０を持ち上げることにより支持レバー２１ａ，２１ｂがピン２４ａ，２４ｂを支点に上方向に揺動する。さらにユニット支持枠体２０もピン２３ａ，２３ｂを支点に回動し、ユーザがユニット支持枠体２０を左方向に回転させることにより、シート原稿搬送ユニットＵ１の摺動ピン７１、７２がそれぞれのガイド穴７３，７４の下方位置に移動すると共にブック原稿搬送ユニットＵ２の摺動ピン５１，５２がガイド穴５３，５４の下方位置に移動する。その結果、ブック原稿搬送ユニットＵ２の前方、後方、中間搬送ローラ４１〜４３の一部がユニット支持枠体２０から表出し、第１、第２の駆動ローラ１０，１１及び画像読み取り部１２のそれぞれに当接すると共に、シート原稿搬送ユニットＵ１の前方、後方、中間搬送ローラ６１〜６３はその全体がユニット支持枠体２０内部に収納される。
【００３２】
また、ユニット支持枠体２０の反転と同時にカバー３１を回転軸３２ｂを中心に右方向に回転させ、反転したユニット支持枠体２０の上部をカバー３１により覆う。このようにシート原稿搬送ユニットＵ１の前方、後方、中間搬送ローラ６１〜６３は、下方位置にあるときは、ユニット支持枠体２０の下縁部から一部が突出しているが、上下面反転切り替えが行なわれると自重によりユニット支持枠体２０内に完全に収納され、前方、後方、中間搬送ローラ６１〜６３が邪魔になることなくカバー３１でユニット支持枠体２０の開口面を閉塞できるものである。
【００３３】
次に、ブック原稿Ｂが挿入口に差し込まれると、ブック原稿Ｂの厚さに応じて前方搬送ローラ４１が押し上げられ、前方搬送ローラ４１及び第１の駆動モータ１０により挟持されたブック原稿Ｂは第１の駆動モータ１０の回転により画像読み取り部１２に搬送され、画像読み取り部１２を通過した後、ブック原稿Ｂは第２の駆動モータ１１及び後方搬送ローラ４２により排出口から排出される。
【００３４】
このように、本実施形態では、シート原稿Ｓを搬送するシート原稿搬送ユニットＵ１及びブック原稿Ｂを搬送するブック原稿搬送ユニットＵ２がユニット支持枠体２０内に一体化されており、原稿の種類をシート原稿Ｓからブック原稿Ｂ或いはブック原稿Ｂからシート原稿Ｓに変更する際は、ユニット支持枠体２０を反転させ、シート原稿搬送ユニットＵ２またはブック原稿搬送ユニットＵ１を原稿の搬送路に取り付けるようにしたので、シート原稿搬送ユニットＵ２、ブック原稿搬送ユニットＵ１の交換を容易に行なうことができると共に、従来のように使用されていない搬送ユニットを保管するスペースが不要となり、省スペース化を図ることができる。
【００３５】
なお、本実施形態では、シート原稿搬送ユニットＵ１及びブック原稿搬送ユニットＵ２がユニット支持枠体２０に対しその自重で上下移動可能な機構を設け、ユニット支持枠体２０下面に表出された搬送ローラをユニット支持枠体２０の回転により内部に収納できるようにしているが、ユニット支持枠体２０が両ユニットの搬送ローラを収納可能な大きさを有する場合は、特にこのような機構を設けずに各ユニットがユニット支持枠体２０に固定されるような構成にしてもよい。
【００３６】
また、本実施形態では、本体部１の主面に対向する搬送ローラを切り替えるためにユニット支持枠体２０に回動可能に取り付けられた支持レバー２１ａ，２１ｂによる回動方式を採用しているが、これに限定されずユニット支持枠体２０内にシート原稿搬送ユニットＵ１用の第１面及びブック原稿搬送ユニットＵ２用の第２面を並列に配置し、ユニット支持枠体２０をスライドさせることにより本体部２の主面に対向する搬送ローラを切り替え可能な構成にしてもよい。
【００３７】
また、本実施形態では、第１及び第２の駆動ローラの駆動力により各搬送ローラが従動駆動するように構成されているが、その代わりに各搬送ローラにローラ等の駆動機構を取り付けて回転させるようにしてもよい。この際、シート原稿搬送ユニットＵ１及びブック原稿搬送ユニットＵ２の各搬送ローラとして同一の大きさのものを用い、ブック原稿搬送ユニットＵ２の搬送ローラ、シート原稿搬送ユニットＵ１の搬送ローラに対しそれぞれ異なる駆動力を与えるようにしてもよい。
【００３８】
また、本実施形態では、原稿が製本されたブック原稿Ｂ、シート原稿Ｓであるかによりシート原稿搬送ユニットＵ１及びブック原稿搬送ユニットＵ２の切り替えを行なっているが、これに限らず、例えば薄紙、厚紙等の原稿の厚さによりシート原稿搬送ユニットＵ１及びブック原稿搬送ユニットＵ２を適宜切り替えるようにしてもよい。
【００３９】
【発明の効果】
本発明によれば、前記蓋部の第１面または第２面のいずれかが前記本体部の主面に対して対向されるよう切り替え可能であるため、原稿の厚さに応じて駆動ローラに当接される第１，第２の搬送ローラを容易に切り替えることができ、作業の効率化を図ることができる。さらに第１，第２の搬送ローラの一体化により、使用されていない搬送ローラを保管するためのスペースが不要となり、省スペース化を図ることができる。
【図面の簡単な説明】
【図１】本発明の一実施の形態によるデジタル複合機上部に設けられた原稿搬送装置の外観斜視図である。
【図２】原稿搬送装置の側断面図である。
【図３】原稿搬送装置におけるシート原稿搬送ユニットの構成を示す上面図である。
【図４】原稿搬送装置をシート搬送状態からブック搬送状態に切り替える際の原稿搬送装置の取り扱い方法を説明するための図である。
【図５】従来の原稿搬送装置の構成図であり、（ａ）は従来のシート原稿搬送ユニットの構成を示す側断面図であり、（ｂ）は従来のブック原稿搬送ユニットの構成を示す側断面図である。
【符号の説明】
１  本体部
２  原稿搬送装置（蓋部）
１０，１１  駆動ローラ
１２  画像読み取り部
１３  原稿検知センサ
２０  ユニット支持枠体
２１  支持レバー
２２  固定部材
２３，２４  ピン
３１  カバー
３２  回転軸
４１〜４３  前方、後方、中間搬送ローラ（第２の搬送ローラ）
６１〜６３  前方、後方、中間搬送ローラ（第１の搬送ローラ）
４７，６７  駆動ベルト
５０，７０  側板
５１，５２，７１，７２  摺動ピン
５３，５４，７３，７４  ガイド穴
Ｕ１  シート原稿搬送ユニット
Ｕ２  ブック原稿搬送ユニット
Ｓ  シート原稿
Ｂ  ブック原稿
【図１】
2005053599.tif 000003
【図２】
2005053599.tif 000004
【図３】
2005053599.tif 000005
【図４】
2005053599.tif 000006
【図５】
2005053599.tif 000007